(57)【要約】【課題】  簡易な構成でありながら、水源から流れてくる塵芥を確実に捕集することができるとともに、作業者に大きな作業負担を追わせることなく捕集した塵芥を除去することのできる取水口用の除塵装置を提供する。【解決手段】  取水口に設置されたスクリーンよりも上方に配置される支軸体と、該支軸体に一端が直接的又は間接的に接続されてスクリーンの前方に垂下可能に配置された可撓性網材と、取水口の幅方向に延びて前記支軸体よりも上方に配置されたガイド体と、前記支軸体よりも取水路の下流側に配置され、長尺な索条を巻取可能且つ引出可能に構成されたウインチとを備え、前記ウインチから引き出された索条がガイド体上に巻き掛けられて該索条の先端が前記可撓性網材の他端側に連結されていることを特徴とする。【選択図】図１
2012237112.tif 000002
【特許請求の範囲】
【請求項１】
水源に接続されて水力発電設備に繋がる取水路の取水口に設置されたスクリーン上で堆積する塵芥を取り除くための取水口用の除塵装置であって、取水口の幅方向に延びてスクリーンよりも上方に配置される支軸体と、該支軸体に一端が直接的又は間接的に接続されてスクリーンの前方に垂下可能な可撓性網材と、取水口の幅方向に延びて前記支軸体よりも上方に配置されたガイド体と、前記支軸体よりも取水路の下流側に配置され、長尺な索条を巻取可能且つ引出可能に構成されたウインチとを備え、前記ウインチから引き出された索条がガイド体上に巻き掛けられて該索条の先端が前記可撓性網材の他端側に連結されていることを特徴とする取水口用の除塵装置。
【請求項２】
前記可撓性網材は、他端部に取水口の幅方向に延びるフレーム材が取り付けられている請求項１に記載の取水口用の除塵装置。
【請求項３】
前記フレーム材は、取水口の幅方向に延びる帯板状の第一片部と、該第一片部の長手方向と直交する方向の一端から該第一片部の一方の面側に延びる帯板状の第二片部とを備え、第一片部の一方の面を水源側に向けた状態で前記第一片部の長手方向と直交する方向の他端に網材の他端が連結されるとともに、第二片部に索条が連結されている請求項２に記載の取水口用の除塵装置。
【請求項４】
前記ガイド体とウインチとの間に配置されたブラシ体を備え、該ブラシ体は、取水口の幅方向に延びる基材と、該基材の上面に植毛された多数の毛とを備え、該多数の毛がガイド体上に巻き掛けられてウインチにまで延びる索条の移動軌跡と交わるように配置されている請求項１乃至３の何れか１項に記載の取水口用の除塵装置。
【請求項５】
前記支軸体は、取水口の幅方向に延びる軸線回りで回転可能に構成されている請求項１乃至４の何れか１項に記載の取水口用の除塵装置。
【請求項６】
前記ガイド体は、取水口の幅方向に延びる軸線回りで回転可能なローラである請求項１乃至５の何れか１項に記載の取水口用の除塵装置。
【発明の詳細な説明】
【技術分野】
【０００１】
本発明は、水力発電設備に繋がる取水路に塵芥が流れ込むことを阻止するためにスクリーンが設置された取水口用の除塵装置に関する。
【背景技術】
【０００２】
水力発電設備は、河川や貯水池、ダム等の水源に接続された取水路を介して水源から発電用の水が供給されるようになっている。そして、河川や貯水池、ダム等の水源からの水には、落ち葉や、草、流木等の塵芥が混ざっており、このような水が水力発電設備に供給されると発電機等が破損するとして、一般的に、図６（ａ）及び図６（ｂ）に示す如く、水源Ｓに接続された取水路Ｗの取水口Ｗａ（取水路Ｗの上流域）に塵芥Ｄを捕捉するためのスクリーン８が設置されている。
【０００３】
かかるスクリーン８には、種々のタイプのものがあり、例えば、上下方向に間隔をあけて配置された一対の梁材８０ａ，８０ｂ間に複数の棒材８１…を所定間隔で並設したものや、一対の梁材８０ａ，８０ｂ間に複数の棒材８１…を格子状に配置したもの等があるが、いずれも棒材８１…が水の流通方向に対して交差する方向に延びており、棒材８１…間で水の流通を許容しつつ、棒材８１…の間隔よりも大きな塵芥Ｄを各棒材８１…で捕捉するようになっている。
【０００４】
ところで、上述の如く、取水口Ｗａにスクリーン８を設けると、図７に示す如く、スクリーン８に捕捉された塵芥Ｄが該スクリーン８上に堆積し、取水路Ｗに必要量の水が流れ込まなくなり、水力発電設備での発電出力が低下する。
【０００５】
そのため、この種の設備では、スクリーン８上に塵芥Ｄが堆積したときに該塵芥Ｄの除去し、水源Ｓからの水の流通を確保するようにしている。塵芥Ｄの除去作業は、取水口Ｗａ近傍の護岸や取水口Ｗａに接近させたボート等から作業者が熊手等の清掃具を用いて行われることがあるが、作業者の作業負担が非常に大きく、また落水の可能性があるとして、スクリーン８上の塵芥Ｄを除去するための除塵装置が提供されている。
【０００６】
かかる除塵装置は、スクリーン８に沿って移動可能な掻上手段を備えたものが主流となっているが、この種の除塵装置は、水中でレーキを上下動させる複雑な機構を必要とするため、大がかりなものになる上に塵芥Ｄの噛み込み等で故障する可能性があるとして、図８（ａ）に示す如く、スクリーン８の前方に配置されるスクリーン用ネット９が提供されている（例えば、特許文献１参照）。
【０００７】
かかるスクリーン用ネット９は、略四角形状の網材９０と、該網材９０の両端に沿って取り付けられた一対のフレーム９１ａ，９１ｂとを備えており、網材９０の一端に沿って取り付けられた一方のフレーム９１ａがスクリーン８の上端（上側の梁材８０ａ）に係止可能に構成され、網材９０の他端に沿って取り付けられた他方のフレーム９１ｂがクレーンで吊り上げ可能に構成されている。
【０００８】
かかるスクリーン用ネット９は、一方のフレーム９１ａをスクリーン８の上側の梁材８０ａに係止させることで、他方のフレーム９１ｂが錘になって網材９０がスクリーン８の前方（水源Ｓ側）に垂れ下がり、網材９０の編み目で水の流通を許容し、網材９０を構成する線材で塵芥Ｄを捕捉するようになっている。
【０００９】
そして、上記構成のスクリーン用ネット９は、図８（ｂ）に示す如く、網材９０を介してスクリーン８上に塵芥Ｄが堆積する（水の流通が阻害されつつある）と、図９（ａ）に示す如く、他方のフレーム９１ｂをクレーンで吊り上げることで堆積した塵芥Ｄを水面よりも上方に引き上げることができるようになっている。すなわち、上記構成のスクリーン用ネット９は、他方のフレーム９１ｂ（網材９０の他端）をクレーンで引き上げると、網材９０がＵ字状に湾曲して該湾曲部分に塵芥Ｄが貯まり、他方のフレーム９１ｂが水面上に引き上げられると塵芥Ｄの貯まった網材９０の湾曲部分が水面ＷＬ近く或いは水面ＷＬよりも上方にまで来るようになっている。
【００１０】
これにより、上記構成のスクリーン用ネット９は、スクリーン８（網材９０）上に堆積した塵芥Ｄを水面よりも上方に持ち上げることができるため、図９（ｂ）に示す如く、作業者Ｘが護岸等から無理な姿勢になることなく熊手等の清掃具Ｔで網材９０上の塵芥Ｄを取り除くことができるとされている。
【先行技術文献】
【特許文献】
【００１１】
【特許文献１】特開平１０−２９８９６３号公報
【発明の概要】
【発明が解決しようとする課題】
【００１２】
しかしながら、上記構成のスクリーン用ネット９を用いたとしても、作業者Ｘの作業負担を軽減したり、作業者Ｘの安全性を確保したりするのに限界がある。すなわち、上記構成のスクリーン用ネット９は、網材９０の他端（他方のフレーム９１ｂ）を吊り上げて塵芥Ｄを持ち上げるだけで、最終的に作業者Ｘが清掃具Ｔを用いて網材９０上の塵芥Ｄを取り除かなければならず、作業負担が軽減されるとは言えない。また、上述の如く、塵芥Ｄを水面ＷＬ近く或いは水面ＷＬよりも上方にまで持ち上げたとしても、当該塵芥Ｄは、スクリーン８よりも前方にあるため、作業者Ｘはスクリーン８よりも前方に身を乗り出して作業を行わなければならず、作業中に落水する危険がある。
【００１３】
そこで、本発明は、斯かる実情に鑑み、簡易な構成でありながら、水源から流れてくる塵芥を確実に捕集することができるとともに、作業者に大きな作業負担を追わせることなく捕集した塵芥を除去することのできる取水口用の除塵装置を提供することを課題とする。
【課題を解決するための手段】
【００１４】
本発明に係る取水口用の除塵装置は、水源に接続されて水力発電設備に繋がる取水路の取水口に設置されたスクリーン上で堆積する塵芥を取り除くための取水口用の除塵装置であって、取水口の幅方向に延びてスクリーンよりも上方に配置される支軸体と、該支軸体に一端が直接的又は間接的に接続されてスクリーンの前方に垂下可能な可撓性網材と、取水口の幅方向に延びて前記支軸体よりも上方に配置されたガイド体と、前記支軸体よりも取水路の下流側に配置され、長尺な索条を巻取可能且つ引出可能に構成されたウインチとを備え、前記ウインチから引き出された索条がガイド体上に巻き掛けられて該索条の先端が前記可撓性網材の他端側に連結されていることを特徴とする。
【００１５】
上記構成の取水口用の除塵装置によれば、取水口の幅方向に延びてスクリーンよりも上方に配置される支軸体と、該支軸体に一端が直接的又は間接的に接続されてスクリーンの前方に垂下可能に配置された可撓性網材と、取水口の幅方向に延びて前記支軸体よりも上方に配置されたガイド体と、前記支軸体よりも取水路の下流側に配置され、長尺な索条を巻取可能且つ引出可能に構成されたウインチとを備え、前記ウインチから引き出された索条がガイド体上に巻き掛けられて該索条の先端が前記可撓性網材の他端側に連結されているため、スクリーンの前方に配置された可撓性網材で水源からの水に含まれた塵芥を捕捉することができ、該捕捉した塵芥が可撓性網材上に堆積したとき（可撓性網材を介してスクリーン上に堆積したとき）にウインチで索条を巻き取ることで、可撓性網材上の塵芥をスクリーンよりも上方に引き上げて回収することができる。
【００１６】
より具体的に説明すると、可撓性網材は、線材を編んだり、複数の線材を交差するように配置してそれぞれの交点を接続したりしたものであるため、支軸体に一端が直接的又は間接的に接続された可撓性網材がスクリーンの前方に垂下すると、該可撓性網材を構成する線材間で水源からの水の流通が許容される一方で、該可撓性網材を構成する線材で水源からの水に含まれた塵芥の通過が阻止されることになる。
【００１７】
そして、可撓性網材上に塵芥が堆積した状態で、ウインチを作動させて索条を巻き取ると、可撓性網材の他端側が持ち上げられ、該可撓性網材がＵ字状に湾曲した状態になる。そして、可撓性網材の湾曲部分に塵芥が貯まりつつ、その塵芥が貯まった湾曲部分が該可撓性網材の一端側に移行することになる。すなわち、索条の巻き取りが連続的に行われることで、可撓性網材の他端側が索条と同一又は略同一の軌道を辿って可撓性網材の湾曲部分が水面よりも上方に到達し、当該湾曲部分が最終的に支軸体とガイド体との間で他端側が一端側よりも上方に位置した状態で真っ直ぐに伸びた状態（スクリーンよりも取水路の下流側に向けて先下りした状態）になる。これにより、可撓性網材の湾曲部分に貯まっていた塵芥が支軸体よりも上方から該支軸体よりも後方（スクリーンよりも取水路の下流側）に向けて転落し、可撓性網材から塵芥が取り除かれることになる。従って、支軸体よりも後方（スクリーンよりも取水路の下流側）を塵芥の集積位置にしておくことで、スクリーン上に堆積した塵芥を集積位置に回収することができる。
【００１８】
なお、取水路には、水路の上方を閉塞したタイプ（トンネルタイプ）と、水路の上方が開放したタイプ（溝タイプ）とがあるが、トンネルタイプの取水路の取水口（スクリーン）を対象とする場合、水路の上方を閉じた天井部上を集積位置にし、溝タイプの取水路の取水口（スクリーン）を対象とする場合、水路の上方を天板等で閉じて該天板上を集積位置にしたり、水路の上方にレールや梁材を掛け渡して該レール上にコンテナを配置して集積位置にしたりすればよい。
【００１９】
本発明の一態様として、前記可撓性網材は、他端部に取水口の幅方向に延びるフレーム材が取り付けられていることが好ましい。このようにすれば、フレーム材が錘になって可撓性網材をスクリーンの前方に配置する際に該可撓性網材の他端側が下方に引っ張られた状態になり、可撓性網材をスクリーンに沿った状態に確実に配置することができる。これにより、可撓性網材でスクリーンの前面を覆った状態にできるため、水源からの塵芥を確実に捕捉することができる。
【００２０】
この場合、前記フレーム材は、取水口の幅方向に延びる帯板状の第一片部と、該第一片部の長手方向と直交する方向の一端から該第一片部の一方の面側に延びる帯板状の第二片部とを備え、第一片部の一方の面を水源側に向けた状態で前記第一片部の長手方向と直交する方向の他端に網材の他端が連結されるとともに、第二片部に索条が連結されていることが好ましい。このようにすれば、可撓性網材の他端側を引き上げるときに、フレーム材の第二片部が持ち上げられて第一片部よりも上方に位置した状態（反転した状態）になるため、可撓性網材に堆積していた塵芥やフレーム材上に堆積していた塵芥を確実に捕捉することができる。
【００２１】
本発明の他態様として、前記ガイド体とウインチとの間に配置されたブラシ体を備え、該ブラシ体は、取水口の幅方向に延びる基材と、該基材の上面に植毛された多数の毛とを備え、該多数の毛がガイド体上に巻き掛けられてウインチにまで延びる索条の移動軌跡と交わるように配置されていることが好ましい。
【００２２】
このようにすれば、可撓性網材の他端側が引き上げられ、該可撓性網材の他端側が索条と同一軌道を辿ってガイド体に巻き掛けられた状態になったときに、ガイド体よりもウインチ側にある可撓性網材の塵芥が堆積していた面が下方に向くとともに該面にブラシ体の毛が接触することになり、集積位置に回収されるべき塵芥が可撓性網材に付着していた状態になっていても、ブラシ体に擦り落とされて結果的に集積位置に回収される。
【００２３】
本発明の別の態様として、前記支軸体は、取水口の幅方向に延びる軸線回りで回転可能に構成されていることが好ましい。このようにすれば、可撓性網材の他端側が引き上げられて支軸体とガイド体との間で他端側が一端側よりも上方に位置して真っ直ぐに伸びた状態（スクリーンよりも取水路の下流側に向けて先下りした状態）になるときに、支軸体が回転することになる。これにより、可撓性網材が姿勢変更するときに、該可撓性網材と支軸体との接続部分に不要な変形等が生じることない。また、可撓性網材と支軸体との接続部分が真っ直ぐ延びる可撓性網材の延長線上に位置することになり、塵芥をスムーズに集積位置に転落させることができる。
【００２４】
本発明のさらに別の態様として、前記ガイド体は、取水口の幅方向に延びる軸線回りで回転可能なローラであることが好ましい。このようにすれば、可撓性網材が索条と同一又は略同一の軌道を辿ってガイド体に巻き掛けられた状態になった上で該可撓性網材の他端側がウインチに引っ張られたときにガイド体上での可撓性網材の移動がスムーズになる。従って、ガイド体に巻き掛けられた可撓性網材に対して不必要な引っ張り力や抵抗が作用することがなく、可撓性網材の破損を抑制することができる。
【発明の効果】
【００２５】
以上のように、本発明に係る取水口用の除塵装置によれば、簡易な構成でありながら、水源から流れてくる塵芥を確実に捕集することができるとともに、作業者に大きな作業負担を追わせることなく捕集した塵芥を除去することができるという優れた効果を奏し得る。
【図面の簡単な説明】
【００２６】
【図１】本発明の一実施形態に係る取水口用の除塵装置の説明図であって、設置対象となる取水口近傍を含んだ取水口用の除塵装置の側面断面図を示す。
【図２】同実施形態に係る取水口用の除塵装置の説明図であって、（ａ）は、図１のＩ−Ｉ矢視図を示し、（ｂ）は、図１のＩＩ−ＩＩ断面図を示す。
【図３】同実施形態に係る取水口用の除塵装置の説明図であって、（ａ）は、図１のＩＩＩ−ＩＩＩ断面図を示し、（ｂ）は、図１のＩＶ−ＩＶ断面図を示す。
【図４】同実施形態に係る取水口用の除塵装置の作用説明図であって、（ａ）は、網材上に塵芥が堆積した状態を示し、（ｂ）及び（ｃ）は、網材上の塵芥を水面上に引き上げる過程を示し、（ｄ）は、塵芥が水面上に引き上げられた状態を示す。
【図５】同実施形態に係る取水口用の除塵装置の作用説明図であって、水面上に引き上げられた塵芥がコンテナに移る状態を示す。
【図６】水力発電設備に繋がる取水路の取水口に設置されるスクリーンの説明図であって、（ａ）は、取水口近傍の側面断面図を示し、（ｂ）は、水源側から見たスクリーンの正面図を示す。
【図７】図６に示すスクリーンに塵芥が堆積した状態の取水口近傍の側面断面図を示す。
【図８】従来のスクリーン用ネットの側面断面図であって、（ａ）は、スクリーンの前方にスクリーン用ネットを配設した状態の側面断面図を示し、（ｂ）は、スクリーン用ネットの網材上に塵芥が堆積した状態の側面断面図を示す。
【図９】従来のスクリーン用ネットの作用を説明するための側面断面図であって、（ａ）は、スクリーン用ネットの網材上に堆積した塵芥を水面近くに引き上げる状態を示し、（ｂ）は、水面近くに引き上げられた塵芥を作業者が取り除いている状態を示す。
【発明を実施するための形態】
【００２７】
以下、本発明の一実施形態に係る取水口用の除塵装置（以下、単に除塵装置という）について、添付図面を参照しつつ説明する。
【００２８】
本実施形態に係る除塵装置は、図１に示す如く、水力発電設備（図示しない）に発電用の水を供給すべく、河川や貯水池、ダム等の水源Ｓに接続されて水力発電設備に繋がる取水路Ｗの取水口Ｗａ（水源Ｓとの接続部分）に設置されたスクリーン８上で堆積する塵芥を取り除くものである。
【００２９】
なお、取水路Ｗには、水路の上方を閉塞したタイプ（トンネルタイプ）と、水路の上方が開放したタイプ（溝タイプ）とがあるが、本実施形態においては水路の上方が天井部Ｈで閉じられたトンネルタイプの取水路Ｗの取水口Ｗａ（門型の取水口Ｗａ）に嵌め込まれたバースクリーン８（一対の梁材８０ａ，８０ｂ間に複数の棒材８１…を所定間隔で並設したスクリーン８）を対象に説明する。なお、図１に示すスクリーン８は、上端側が下端側よりも取水路Ｗ側に位置するように傾斜して配置されている。
【００３０】
本実施形態に係る除塵装置Ａは、図１乃至図３に示す如く、取水口Ｗａの幅方向に延びてスクリーン８よりも上方に配置される支軸体１と、該支軸体１に一端が直接的又は間接的に接続されてスクリーン８の前方に垂下可能な可撓性網材２と、取水口Ｗａの幅方向に延びて前記支軸体１よりも上方に配置されたガイド体３と、前記支軸体１よりも取水路Ｗの下流側に配置され、長尺な索条４０，４０を巻取可能且つ引出可能に構成されたウインチ４とを備えている。また、本実施形態に係る除塵装置Ａは、前記ガイド体３とウインチ４との間に配置されたブラシ体５を備えている。さらに、本実施形態に係る除塵装置Ａは、ガイド体３とウインチ４との間に取水口Ｗａの幅方向に延びる補助ガイド体６をさらに備えている。
【００３１】
前記支軸体１は、図２（ａ）に示す如く、取水口Ｗａの幅寸法と同一の間隔又は取水口Ｗａの幅寸法よりも広い間隔で配置された一対に支持柱１５０，１５０に両端が支持されている。本実施形態において、一対の支持柱１５０，１５０は、角筒状に形成されており、取水路Ｗを形成するコンクリート基礎に下端部が固定されている。
【００３２】
本実施形態に係る支軸体１は、取水口Ｗａの幅方向に延びる軸線回りで回転可能に構成されている。より具体的に説明すると、本実施形態に係る支軸体１は、円柱状の軸本体１０と、該軸本体１０よりも小径に設定されて軸本体１０の軸線方向の両端に突設された一対の小径軸部１１，１１とで構成されている。前記軸本体１０は、軸線方向の長さが可撓性網材２の幅寸法以上に設定されている。そして、支軸体１は、各支持柱１５０，１５０に取り付けられた軸受１５１，１５１に両端の小径軸部１１，１１が軸支され、軸心回りで回転自在に設けられている。
【００３３】
そして、本実施形態に係る除塵装置Ａは、図１に示す如く、塵芥をコンテナ７に集積するようになっており、これに伴って、前記支軸体１は、コンテナ７の高さよりも高い位置に配置されている。すなわち、支軸体１は、コンテナ７を下方に配置できるように配置されている。そして、本実施形態に係る除塵装置Ａは、支軸体１の下方に該支軸体１の後方（取水路Ｗの下流側）に向けて先下りしたガイド板１５３が設けられている、該ガイド板１５３は、帯板状に形成されており、長手方向の両端が前記一対の支持柱１５０，１５０に連結されている。そして、ガイド板１５３は、先下りした一端の高さがコンテナ７の高さよりも高い位置になるように配置されている。すなわち、本実施形態に係る除塵装置Ａは、支軸体１だけでなくガイド板１５３の下方にコンテナ７を配置できるようになっている。
【００３４】
前記可撓性網材２は、線材を編み込んだものや、複数の線材を交差させるように配置して各線材同士を交点で接続したものなど、種々の網材（ネット）を採用することができる。本実施形態においては、塵芥Ｄが雑多なものであり、塵芥Ｄとの接触で線材が破断することを防止すべく、線材がワイヤーで構成された網材（いわゆる、ワイヤーモッコ）が採用されている。本実施形態に係る可撓性網材２は、図２（ａ）に示す如く、スクリーン８の水源Ｓ側の前面を覆うことのできるサイズに設定されており、正面視四角形状に形成されている。そして、可撓性網材２は、一端が支軸体１（軸本体１０）に接続されている。本実施形態に係る可撓性網材２は、一端部を支軸体１の軸本体１０に巻き付けた状態で該支軸体１に連結されている。なお、可撓性網材２は、上述の如く、正面視四角形状とされるため、周囲に図示しない補強用の線材（ワイヤー）が取り付けられている。
【００３５】
そして、本実施形態に係る除塵装置Ａは、可撓性網材２の他端部に取水口Ｗａの幅方向に延びるフレーム材２０が取り付けられている。該フレーム材２０は、可撓性網材２の他端の全長に沿って配置されている。本実施形態に係るフレーム材２０は、可撓性網材２の幅寸法よりも長く設定されており、長手方向の両端部が可撓性網材２の幅方向の両端から外方に突出した状態で配置されている。そして、フレーム材２０は、水中で錘として機能するように、比重が水の比重よりも大きな材質で構成される。本実施形態に係るフレーム材２０は、金属材料で構成されている。
【００３６】
そして、本実施形態に係るフレーム材２０は、図１に示す如く、取水口Ｗａの幅方向に延びる帯板状の第一片部２０ａと、該第一片部２０ａの長手方向と直交する方向の一端から該第一片部２０ａの一方の面側に延びる帯板状の第二片部２０ｂとを備えている。すなわち、本実施形態に係るフレーム材２０は、断面Ｌ字状になっている。そして、該フレーム材２０は、第一片部２０ａの一方の面を水源Ｓ側に向けた状態で前記第一片部２０ａの長手方向と直交する方向の他端に網材の他端が連結されるとともに、第二片部２０ｂに索条４０の先端が連結されている。なお、本実施形態においては、スクリーン８の上端側が取水路Ｗ側に位置するように該スクリーン８が傾斜して配置されているため、第二片部２０ｂが水源Ｓの底に位置した状態で第一片部２０ａがスクリーン８に沿うように第二片部２０ｂに対して傾斜している。
【００３７】
本実施形態に係るフレーム材２０は、上述の如く、両端部が可撓性網材２の幅方向の両端から外方に突出させているため、索条４０，４０は、図２（ａ）に示す如く、両端部が可撓性網材２の幅方向の両端から外方に突出したフレーム材２０（第二片部２０ｂ）の長手方向の端部に連結されている。本実施形態においては、ウインチ４が取水口Ｗａの幅方向で可撓性網材２の幅寸法よりも広い間隔をあけて配置される二本の索条４０，４０を巻き取るように構成されている。これに伴って、本実施形態に係る除塵装置Ａは、フレーム材２０の両端部に各索条４０，４０の先端部が連結されている。これにより、二本の索条４０，４０が可撓性網材２と重ならない配置になっている。
【００３８】
前記ガイド体３は、取水口Ｗａの幅寸法と同一の間隔又は取水口Ｗａの幅寸法よりも広い間隔で配置された一対に支持柱１５０，１５０に両端が支持されている。本実施形態においては、支軸体１と共通の支持柱１５０，１５０に支持されている。すなわち、前記支持柱１５０，１５０は、軸線方向の途中位置で支軸体１を支持し、該支軸体１よりも上方位置でガイド体３を支持するようになっている。そして、本実施形態に係る除塵装置Ａは、ガイド体３が支軸体１よりも水源Ｓ側に配置されている。これに伴い、一対の支持柱１５０，１５０は、上端側が水源Ｓ側に屈曲しており、その屈曲した上端部でガイド体３を支持するようになっている（図１参照）。
【００３９】
本実施形態に係るガイド体３は、取水口Ｗａの幅方向に延びる軸線回りで回転可能なローラで構成されている。より具体的に説明すると、本実施形態に係るガイド体３は、大径のローラ本体３０と、該ローラ本体３０の軸線方向の両端に突設された一対の支軸部３１，３１とで構成されている。そして、該ガイド体３は、各支持柱１５０，１５０に取り付けられた軸受１５２，１５２に両端の支軸部３１，３１が軸支され、軸心回りで回転自在に設けられている。
【００４０】
本実施形態に係るガイド体３は、ローラ本体３０の両端部に径方向外方に突出した鍔部３２，３２が設けられている。一対の鍔部３２，３２は、可撓性網材２及び索条４０，４０の脱落を防止するために設けられたもので、互いの間隔が可撓性網材２の幅寸法よりも広い間隔に設定されている。本実施形態においては、上述の如く、ウインチ４が取水口Ｗａの幅方向で可撓性網材２の幅寸法よりも広い間隔をあけて配置される二本の索条４０，４０を巻き取るように構成されているため、前記一対の鍔部３２，３２の間隔は、二本の索条４０，４０の間隔よりも僅かに広い間隔に設定されている。
【００４１】
前記ブラシ体５は、図１に示す如く、塵芥Ｄの集積位置（本実施形態においては集積位置に配置されたコンテナ７）の上方に配置されるもので、取水口Ｗａの幅方向に延びる基材５０と、該基材５０の上面に延設された多数の毛５１…とを備えている。すなわち、該ブラシ体５は、帯板状の基材５０の上面に植毛されたものである。そして、該ブラシ体５は、多数の毛５１…がガイド体３上に巻き掛けられてウインチ４にまで延びる索条４０，４０の移動軌跡に対応するように配置されている。すなわち、本実施形態に係る除塵装置Ａは、ウインチ４による索条４０，４０の巻き取りで可撓性網材２が索条４０，４０の軌跡を辿るように通過するようになっている。これに伴い、前記ブラシ体５は、多数の毛５１…がガイド体３上に巻き掛けられてウインチ４にまで延びる索条４０，４０の移動軌跡と交わるように配置されている。
【００４２】
本実施形態に係るブラシ体５は、図２（ｂ）に示す如く、支軸体１やガイド体３と同様に両端が支持されている。具体的には、本実施形態に係るブラシ体５は、取水口Ｗａの幅寸法と同一の間隔又は取水口Ｗａの幅寸法よりも広い間隔で配置された一対にブラシ用支持柱５５０，５５０に基材５０の両端が支持されている。該一対のブラシ用支持柱５５０，５５０は、前記支持柱１５０，１５０と同様に、角筒状に形成されており、前記コンクリート基礎に下端部が固定されている。
【００４３】
本実施形態に係る補助ガイド体６は、図１に示す如く、ブラシ体５とウインチ４との間に配置されている。そして、前記補助ガイド体６は、図３（ａ）に示す如く、取水口Ｗａの幅寸法と同一の間隔又は取水口Ｗａの幅寸法よりも広い間隔で配置された一対に補助支持柱６５０，６５０に両端が支持されている。該一対の補助支持柱６５０，６５０は、前記支持柱１５０，１５０と同様に、角筒状に形成されており、前記コンクリート基礎に下端部が固定されている。
【００４４】
そして、本実施形態に係る補助ガイド体６は、前記ガイド体３と同様に、取水口Ｗａの幅方向に延びる軸線回りで回転可能なローラで構成されている。より具体的に説明すると、本実施形態に係る補助ガイド体６は、大径の補助ローラ本体６０と、該補助ローラ本体６０の軸線方向の両端に突設された一対の軸部６１，６１とで構成されている。そして、該補助ガイド体６は、各補助支持柱６５０，６５０に取り付けられた軸受６５１，６５１に両端の軸部６１，６１が軸支され、軸心回りで回転自在に設けられている。
【００４５】
本実施形態に係る補助ガイド体６は、補助ローラ本体６０の両端部に径方向外方に突出した鍔部６２，６２が設けられている。一対の鍔部６２，６２は、ガイド体３の鍔部３２，３２と同様に、可撓性網材２及び索条４０，４０の脱落を防止するために設けられたもので、互いの間隔が可撓性網材２の幅寸法よりも広い間隔に設定されている。本実施形態においては、上述の如く、ウインチ４が二本の索条４０，４０を巻き取るように構成されているため、前記一対の鍔部６２，６２の間隔は、二本の索条４０，４０の間隔よりも僅かに広い間隔に設定されている。
【００４６】
前記ウインチ４は、図３（ｂ）に示す如く、索条４０，４０が巻き付けられる巻取ドラム４１，４１と、該巻取ドラム４１，４１を軸心回りで回転させるための電動モータ４２とを備えている。本実施形態に係るウインチ４は、上述の如く、取水口Ｗａの幅方向に間隔をあけて配置される二本の索条４０，４０を巻取可能で且つ引出可能に構成されている。そのため、該ウインチ４は、前記巻取ドラム４１，４１を二つ備えている。すなわち、該ウインチ４は、取水口Ｗａの幅方向に間隔をあけて配置された二つの巻取ドラム４１，４１を備えている。そして、本実施形態に係るウインチ４は、一つの電動モータ４２で二つの巻取ドラム４１，４１を回転させるために、二つの巻取ドラム４１，４１が共通の回転軸４３に取り付けられ、前記電動モータ４２の出力軸が回転軸４３の一端に対して同心で連結されている。
【００４７】
前記回転軸４３は、取水口Ｗａの幅寸法と同一の間隔又は取水口Ｗａの幅寸法よりも広い間隔で配置された一対の基台４５０，４５０上に設けられた軸受体４５１によって両端が支持されている。前記一対の基台４５０，４５０は、前記コンクリート基礎に下端部が固定されている。そして、本実施形態においては、前記電動モータ４２は、回転軸４３と同心になるように、該回転軸４３の一端部を支持する一方の基台４５０に対して固定されている。
【００４８】
前記電動モータ４２は、操作盤（図示しない）の操作で正逆転するようになっている。すなわち、該ウインチ４は、電動モータ４２の回転方向に対応して二つの巻取ドラム４１，４１が正逆転可能になっている。これにより、該ウインチ４は、各巻取ドラム４１，４１による索条４０，４０の巻き取りと引き出しとが切り換え可能になっている。また、本実施形態に係るウインチ４は、回転軸４３の他端部にクランク形状のハンドル（図示しない）が連結され又は連結可能に構成されている。これにより、本実施形態に係るウインチ４は、ハンドルの操作で回転軸４３を正逆転さることができ、電気系にトラブルが発生した場合でも各巻取ドラム４１，４１による索条４０，４０の巻き取りと引き出しとが切り換え可能になっている。
【００４９】
図１に戻り、本実施形態に係る除塵装置Ａは、支軸体１の下方位置から後方位置までが可撓性網材２から取り除いた塵芥の集積位置として設定されている。そして、本実施形態においては、集積位置に配置したコンテナ７に塵芥を回収するようになっている。これに伴い、本実施形態に係る除塵装置Ａは、コンテナ７を集積位置とそれ以外の場所との間で移動させることができるように、支持柱１５０，１５０とブラシ用支持柱５５０，５５０との間、ブラシ用支持柱５５０，５５０と補助支持柱６５０，６５０との間、補助支持柱６５０，６５０とウインチ４を支持する基台４５０，４５０との間の少なくとも何れかでコンテナ７を通過できるように、支持柱１５０，１５０とブラシ用支持柱５５０，５５０との間隔、ブラシ用支持柱５５０，５５０と補助支持柱６５０，６５０との間隔、補助支持柱６５０，６５０と基台４５０，４５０との間隔、或いは、コンテナ７のサイズが設定される。なお、コンテナ７は、塵芥を収容するボックス７０のみで構成されたものであってもよいが、運搬の効率等を考慮すれば、図１に示すように、塵芥を収容するボックス７０の下部にキャスター７１…が取り付けられた自走式のものを採用することが好ましい。
【００５０】
本実施形態に係る除塵装置Ａは、以上の通りであり、続いて該除塵装置Ａの作用について説明する。
【００５１】
上記除塵装置Ａは、ウインチ４から索条４０，４０を引き出しておくことでフレーム材２０が錘になって可撓性網材２の他端側が垂れ下がり、可撓性網材２がスクリーン８の前方で支軸体１から吊り下げられた状態（垂下した状態）になる。これにより、可撓性網材２は、スクリーン８の前面を覆った状態になり、可撓性網材２を構成する線材間で水源Ｓからの水の流通を許容する一方で、該可撓性網材２を構成する線材が水源Ｓからの水に含まれた塵芥の通過を阻止できる状態になる。この状態で、可撓性網材２は、水源Ｓからの水の圧力でスクリーン８に押し付けられた状態（スクリーン８とともに塵芥の通過を阻止した状態）になる。
【００５２】
そして、可撓性網材２及びスクリーン８は、水源Ｓから供給される水に含まれた落ち葉や枝木等の塵芥Ｄが取水路Ｗに流れ込むことを阻止し、図４（ａ）に示す如く、該塵芥Ｄが可撓性網材２（スクリーン８）上に堆積することになる。
【００５３】
そして、可撓性網材２（スクリーン８）上に堆積する塵芥Ｄの量が多くなると、スクリーン８の棒材８１…間や可撓性網材２の編み目が塵芥Ｄに塞がれ、取水路Ｗに流れ込む水量が低下して発電量が少なくなるため、発電に支障のでない程度の塵芥Ｄが可撓性網材２（スクリーン８）上に堆積したときに、該塵芥Ｄの除去を行う。
【００５４】
この場合、ウインチ４を連続的に作動させ、図４（ｂ）に示す如く、索条４０，４０を巻き取って可撓性網材２の他端側を持ち上げる（引っ張り上げる）。すなわち、水中（水源Ｓの底）にあるフレーム材２０の両端を二本の索条４０，４０で引き上げる。本実施形態において、前記フレーム材２０は、上述の如く、取水口Ｗａの幅方向に延びる帯板状の第一片部２０ａと、該第一片部２０ａの長手方向と直交する方向の一端から該第一片部２０ａの一方の面側に延びる帯板状の第二片部２０ｂとを備え、第一片部２０ａの一方の面を水源Ｓ側に向けた状態で前記第一片部２０ａの長手方向と直交する方向の他端に網材の他端が連結されているため、可撓性網材２の他端側を引き上げるときに、フレーム材２０の第二片部２０ｂが持ち上げられて第一片部２０ａよりも上方に位置した状態（反転した状態）になるため、可撓性網材２に堆積していた塵芥Ｄやフレーム材２０上に堆積していた塵芥Ｄが確実に捕捉されることになる。
【００５５】
そして、ウインチ４を連続的に動作させて可撓性網材２の他端側を連続的に持ち上げる（引っ張る）と、図４（ｃ）に示す如く、該可撓性網材２がＵ字状に湾曲した状態になって該可撓性網材２の湾曲部分に塵芥Ｄが貯まりつつ、その塵芥Ｄが貯まった湾曲部分が該可撓性網材２の一端側（支軸体１側）に移行することになる。
【００５６】
そして、索条４０，４０の巻き取りが連続的に行われると、図４（ｄ）に示す如く、可撓性網材２の他端側が索条４０，４０と同一又は略同一の軌道を辿ってガイド体３に巻き掛けられた状態になる。
【００５７】
そして、索条４０，４０の巻き取りが続行されることで、可撓性網材２の他端側がガイド体３上を通過することになるが、本実施形態に係るガイド体３は、取水口Ｗａの幅方向に延びる軸線回りで回転可能なローラで構成されているため、可撓性網材２の他端側がウインチ４に引っ張られたときにガイド体３が回転して可撓性網材２の移動がスムーズになる。従って、ガイド体３に巻き掛けられた可撓性網材２に対して不必要な引っ張り力や抵抗が作用することがなく、可撓性網材２の破損を抑制することができる。
【００５８】
そして、ガイド体３に巻き掛けられてウインチ４側に姿勢変更した可撓性網材２は、塵芥Ｄが堆積していた面が下方に向くとともに該面にブラシ体５の毛５１…が接触することになり、集積位置に回収されるべき塵芥Ｄが可撓性網材２に付着していた状態になっていても、ブラシ体５に擦り落とされて結果的に集積位置（コンテナ７）に回収される。
【００５９】
そして、図５に示す如く、可撓性網材２の湾曲部分が水面よりも上方に位置し、当該湾曲部分が最終的に支軸体１とガイド体３との間で他端側が一端側よりも上方に位置した状態で真っ直ぐに伸びることになる（スクリーン８よりも取水路Ｗの下流側に向けて先下りした状態になる）。これにより、可撓性網材２の湾曲部分に貯まっていた塵芥Ｄが支軸体１よりも上方で且つ該支軸体１よりも後方（スクリーン８よりも取水路Ｗの下流側）に向けて転落し、可撓性網材２から塵芥Ｄが取り除かれることになる。
【００６０】
本実施形態に係る除塵装置Ａは、前記支軸体１が取水口Ｗａの幅方向に延びる軸線回りで回転可能に構成されているため、支軸体１とガイド体３との間で可撓性網材２が真っ直ぐに伸びるとき（スクリーン８よりも取水路Ｗの下流側に向けて先下りした状態）になるときに、支軸体１が回転することになる。これにより、可撓性網材２が姿勢変更するときに、該可撓性網材２と支軸体１との接続部分に不要な変形等が生じることない。また、可撓性網材２と支軸体１との接続部分が真っ直ぐ延びる可撓性網材２の延長線上に位置することになり、塵芥Ｄをスムーズに集積位置に転落させることができる。
【００６１】
従って、支軸体１よりも後方（スクリーン８よりも取水路Ｗの下流側）にある集積位置（本実施形態においてはコンテナ７）にスクリーン８上に堆積した塵芥Ｄを集積位置に回収することができる。本実施形態においては、支軸体１の下方に傾斜したガイド板１５３を設けるようにしたため、可撓性網材２から転落する塵芥Ｄは、確実にコンテナ７に誘導されることになる。
【００６２】
そして、可撓性網材２から塵芥Ｄを除去した後に、ウインチ４（巻取ドラム４１，４１）を逆転させて索条４０，４０を引き出して、可撓性網材２の支軸体１からの垂れ下がりを許容する。なお、本実施形態に係る可撓性網材２は、線材にワイヤーが採用されて比較的重量のあるワイヤーモッコで構成されているため、支軸体１近傍にある可撓性網材２（真っ直ぐに伸びた部分）を水源Ｓ側に押しつつ索条４０，４０の引き出すと、可撓性網材２がＵ字状に湾曲した状態になり、ガイド体３よりも下方側にある可撓性網材２が多くなれば、索条４０，４０の引き出しに併せて可撓性網材２が自重でスクリーン８の前方に垂下した状態になり、図１に示す如く、塵芥Ｄを捕捉できる状態に復帰する。
【００６３】
以上のように、本実施形態に係る除塵装置Ａは、取水口Ｗａの幅方向に延びてスクリーン８よりも上方に配置される支軸体１と、該支軸体１に一端が直接的又は間接的に接続されてスクリーン８の前方に垂下可能な可撓性網材２と、取水口Ｗａの幅方向に延びて前記支軸体１よりも上方に配置されたガイド体３と、前記支軸体１よりも取水路Ｗの下流側に配置され、長尺な索条４０，４０を巻取可能且つ引出可能に構成されたウインチ４とを備え、前記ウインチ４から引き出された索条４０，４０がガイド体３上に巻き掛けられて該索条４０，４０の先端が前記可撓性網材２の他端側に連結されているため、スクリーン８の前方に配置された可撓性網材２で水源Ｓから水に含まれた塵芥Ｄを捕捉することができ、該捕捉した塵芥Ｄが可撓性網材２上に堆積したとき（可撓性網材２を介してスクリーン８上に堆積したとき）にウインチ４で索条４０，４０を巻き取ることで、可撓性網材２上の塵芥Ｄをスクリーン８よりも上方に引き上げて回収することができる。
【００６４】
従って、上記構成の除塵装置Ａは、簡易な構成でありながら、水源Ｓから流れてくる塵芥Ｄを確実に捕集することができるとともに、作業者に大きな作業負担を追わせることなく捕集した塵芥Ｄを除去することができるという優れた効果を奏し得る。
【００６５】
また、本実施形態において、可撓性網材２の他端部に取水口Ｗａの幅方向に延びるフレーム材２０が取り付けられているため、可撓性網材２でスクリーン８の前面を覆った状態にでき、水源Ｓからの塵芥Ｄを確実に捕捉することができる。
【００６６】
特に、前記フレーム材２０は、取水口Ｗａの幅方向に延びる帯板状の第一片部２０ａと、該第一片部２０ａの長手方向と直交する方向の一端から該第一片部２０ａの一方の面側に延びる帯板状の第二片部２０ｂとを備え、第一片部２０ａの一方の面を水源Ｓ側に向けた状態で前記第一片部２０ａの長手方向と直交する方向の他端に網材の他端が連結されているため、可撓性網材２に堆積していた塵芥Ｄがフレーム材２０上に堆積していた塵芥Ｄを確実に捕捉することができる。
【００６７】
また、本実施形態に係る除塵装置Ａは、前記ガイド体３とウインチ４との間に配置されたブラシ体５を備え、該ブラシ体５は、取水口Ｗａの幅方向に延びる基材５０と、該基材５０の上面に植毛された多数の毛５１…とを備え、該多数の毛５１…がガイド体３上に巻き掛けられてウインチ４にまで延びる索条４０，４０の移動軌跡と交わるように配置されているため、集積位置に回収されるべき塵芥Ｄが可撓性網材２に付着していた状態になっていても、該塵芥Ｄをブラシ体５で擦り落として集積位置に回収することができる。
【００６８】
さらに、本実施形態に係る除塵装置Ａは、前記支軸体１が取水口Ｗａの幅方向に延びる軸線回りで回転可能に構成されているため、可撓性網材２が姿勢変更するときに、該可撓性網材２と支軸体１との接続部分に不要な変形等を生じさせることがなく、可撓性網材２の損傷を防止することができる上に、塵芥Ｄをスムーズに集積位置に転落させることができる。
【００６９】
また、本実施形態に係る除塵装置Ａは、前記ガイド体３が取水口Ｗａの幅方向に延びる軸線回りで回転可能なローラで構成されているため、ガイド体３に巻き掛けられた可撓性網材２に対して不必要な引っ張り力や抵抗が作用することがなく、可撓性網材２の破損を抑制することができる。
【００７０】
なお、本発明は、上記実施形態に限定されるものではなく、本発明の要旨を逸脱しない範囲で適宜変更を加え得ることは勿論のことである。
【００７１】
上記実施形態において、水路の上方が天井部Ｈで閉じられたトンネルタイプの取水路Ｗの取水口Ｗａに設置されたスクリーン８を対象に説明したが、これに限定されるものではなく、例えば、水路の上方が開放した溝タイプの取水路Ｗの取水口Ｗａに設置されたスクリーン８を対象にしてもよい。この場合、水路の上方に敷鉄板等の天板を掛け渡して水路の上方を閉じて天板上を集積位置にしたり、水路の上方にレールや梁材を掛け渡して該レール（又は梁材）上にコンテナ７やプレート（鉄板等）を配置して集積位置にしたりすればよい。なお、コンテナ７を用いる場合には、レール上で走行可能なコンテナ７や、自走式のコンテナ７を採用することが好ましいことは言うまでもない。
【００７２】
また、上記実施形態において、上下方向に間隔をあけて配置された一対の梁材８０ａ，８０ｂ間に起立した複数の棒材８１…を所定間隔で並設したバースクリーン８を対象にしたが、上記除塵装置Ａの設置の対象は、これに限定されるものではなく、例えば、一対の梁材８０ａ，８０ｂ間に複数の棒材を格子状に配置したもの等、種々タイプのスクリーであっても勿論よい。また、スクリーン８は、上端側が取水路Ｗ側に位置するように傾斜して配置されたものに限らず、略垂直に配置されたものであってもよいし、ある程度ならば上端側が下端側よりも水源Ｓ側に位置するように傾斜して配置されたものであってもよい。
【００７３】
上記実施形態において、支軸体１を回転自在に構成したが、これに限定されるものではなく、例えば、支軸体１を単なる棒材で構成し、該支軸体１に可撓性網材２の一端を連結するようにしてもよい。このようにしても、可撓性網材２は、撓み性を有しているため、他端側が引き上げられることで、一端側に向けて先下りした姿勢になり、塵芥Ｄを集積位置に転落させ得る状態になる。但し、このように可撓性網材２を支軸体１に固定すると、上述のような姿勢変形するときに一端部周辺に無理な変形が生じて破損する虞があるため、上述のように支軸体１を回転可能に構成したり、支軸体１を丸棒で構成し、該支軸材に可撓性網材２の一端を紐材等で括り付けて該可撓性網材２の一端が支軸体１の回りで回転できるようにしたりすることが好ましい。
【００７４】
上記実施形態において、ガイド体３を回転自在なローラで構成したが、これに限定されるものではなく、例えば、ガイド体３を棒材や板材で構成してもよい。この場合、ガイド体３の外周上を移動する索条４０，４０や可撓性網材２が引っ掛かったり損傷させたりすることのないように、丸棒をガイド体３として採用したり、取水口Ｗａの幅方向に長手をなす帯板を該長手方向と直交する方向で湾曲させて形成したものをガイド体３として採用したりすることが好ましい。すなわち、索条４０，４０及び可撓性網材２が巻き掛けられる領域が円弧面に構成されたものであることが好ましい。
【００７５】
上記実施形態において、補助ガイド体６を設けたが、これに限定されるものではなく、例えば、補助ガイド体６を設けることなく、ウインチ４から引き出した索条４０，４０をガイド体３に直接巻き掛けるようにしても勿論よい。すなわち、補助ガイド体６は、ウインチ４とガイド体３との距離を考慮して必要に応じて設ければよい。
【００７６】
上記実施形態において、ブラシ体５を設けたが、これに限定されるものではなく、ガイド体３とウインチ４との間をフリーな状態にしても勿論よい。但し、可撓性網材２に残存する塵芥Ｄを確実に除去するには、上記実施形態と同様にブラシ体５を設けることが好ましいことは言うまでもない。
【００７７】
上記実施形態において、可撓性網材２の他端にフレーム材２０を取り付けたが、これに限定されるものではなく、例えば、フレーム材２０を設けることなく、可撓性網材２を金属製の網材とするだけでも、可撓性網材２を支軸体１からスクリーン８の前方に垂下させることができる。但し、スクリーン８の前面で可撓性網材２の広がりを確保するには、上記実施形態と同様にフレーム材２０を設けることが好ましいことは言うまでもない。
【００７８】
上記実施形態において、第一片部２０ａと第二片部２０ｂとで断面Ｌ型をなすフレーム材２０を採用したが、フレーム材２０を設ける場合、これに限定されるものではなく、例えば、棒材や型鋼等をフレーム材２０として設けてもよい。
【００７９】
上記実施形態において、ガイド体３を支軸体１よりも水源Ｓ側に配置するようにしたが、これに限定されるものではなく、例えば、ガイド体３を支軸体１の真上、或いは、支軸体１よりも後方に配置したものであってもよい。すなわち、取水口Ｗａに配置されたスクリーン８の前方で該スクリーン８の姿勢に沿って配置される可撓性網材２の姿勢（角度）に応じてガイド体３を配置すればよい。なお、可撓性網材２の他端側をＵ字状に確実にするには、可撓性網材２の他端側を一端側よりも水源Ｓ側で引き上げるようにする、すなわち、支軸体１よりもガイド体３を水源Ｓ側に配置することが好ましいことは言うまでもない。
【００８０】
上記実施形態において、集積位置にコンテナ７を配置することを前提に塵芥Ｄを誘導するためのガイド板１５３を配置したが、これに限定されるものではなく、例えば、支軸体１の下方にコンテナ７が入り込むようにするだけでもよい。
【００８１】
上記実施形態において、支軸体１及びガイド体３を共通する一対の支持柱１５０，１５０で支持するようにしたが、これに限定されるものではなく、支軸体１及びガイド体３のそれぞれを独立した支持柱１５０，１５０で支持するようにしてもよい。
【００８２】
上記実施形態において、支軸体１及びガイド体３を一対の支持柱１５０，１５０でそれぞれの両端を支持するようにしたが、これに限定されるものではなく、例えば、一本の支持柱に対して横方向（取水口Ｗａの幅方向）に延びるアームを連設し、該アームに対して支軸体１やガイド体３を支持させるようにしてもよい。また、ブラシ体５を設ける場合も同様である。
【００８３】
上実施形態において、フレーム材２０の両端に連結された二本の索条４０，４０を巻き上げるべく一対の巻取ドラム４１，４１が取水口Ｗａの幅方向に間隔をあけて配置されたウインチ４を採用したが、これに限定されるものではなく、例えば、一本の索条４０，４０を巻き上げて可撓性網材２の他端側を引き上げるようにしてもよい。この場合、可撓性網材２の他端側をバランスよく引き上げるために可撓性網材２の他端側における幅方向の中央に一本の索条４０，４０を連結してもよいが、このようにすると、索条４０，４０が可撓性網材２の前方に位置することになり、塵芥Ｄと接触して索条４０，４０が傷つけられる（破損される）可能性が高くなるため、例えば、フレーム材２０の両端に先端が連結された二本の索条４０，４０の基端側を取水口Ｗａの幅方向に延びる連結材の両端に連結し、ウインチから引き出した一本の索条４０，４０の先端を連結材の長手方向の中央に連結してもよいし、フレーム材２０の両端に先端が連結された二本の索条４０，４０の基端同士を連結してウインチから引き出した一本の索条４０，４０の先端を連結材の長手方向の中央に連結し、二本の索条４０，４０の基端側に取水口Ｗａの幅方向に延びる連結材を配置して該連結材の両端のそれぞれに対応する索条４０，４０を連結するようにしてもよい。
【符号の説明】
【００８４】
１…支軸体、２…可撓性網材、３…ガイド体、４…ウインチ、５…ブラシ体、６…補助ガイド体、７…コンテナ、８…スクリーン（バースクリーン）、１０…軸本体、１１…小径軸部、２０…フレーム材、２０ａ…第一片部、２０ｂ…第二片部、３０…ローラ本体、３１…支軸部、３２…鍔部、４０…索条、４１…巻取ドラム、４２…電動モータ、４３…回転軸、５０…基材、５１…毛、６０…補助ローラ本体、６１…軸部、６２…鍔部、７０…ボックス、７１…キャスター、８０ａ，８０ｂ…梁材、８１…棒材、１５０…支持柱、１５１…軸受、１５２…軸受、１５３…ガイド板、４５０…基台、４５１…軸受体、５５０…ブラシ用支持柱、６５０…補助支持柱、６５１…軸受、Ａ…除塵装置、Ｄ…塵芥、Ｈ…天井部、Ｓ…水源、Ｗ…取水路、Ｗａ…取水口、ＷＬ…水面
【図１】
2012237112.tif 000003
【図２】
2012237112.tif 000004
【図３】
2012237112.tif 000005
【図４】
2012237112.tif 000006
【図５】
2012237112.tif 000007
【図６】
2012237112.tif 000008
【図７】
2012237112.tif 000009
【図８】
2012237112.tif 000010
【図９】
2012237112.tif 000011